(57)【特許請求の範囲】
【請求項１】
入力部（１）と、演奏音再生部（５）と、映像データ再生部（２４）と、制御部（２３）とを備えるカラオケ装置であって、
入力部（１）は、演奏する曲を選択可能とし、
演奏音再生部（５）は、演奏データを再生可能とし、
映像データ再生部（２４）は、映像データの再生を可能とし、
制御部（２３）は、入力部（１）で選択された曲に対応する演奏データを演奏音再生部（５）に再生させるとともに、第１〜３処理からなる映像再生処理を行い、
第１処理は、入力部（１）で選択された曲に対応する映像データを選択し、
第２処理は、選択された演奏データと映像データとの再生時間を比較し、
第３処理は、第２処理の比較結果に基づいて、第１処理で選択した映像データ全体の再生時間が、演奏データの再生時間に合致するように映像データを伸縮して映像データ再生部（２４）に再生させる
カラオケ装置。
【請求項２】
映像データは、カテゴリ別のディスクに記録され、
映像データ再生部は、複数のディスクに記録された映像データの再生を可能とし、
制御部（２３）の第１処理では、入力部（１）で選択された曲のカテゴリに対応するディスクから映像データを選択する
請求項１に記載のカラオケ装置。
【請求項３】
第２処理は、演奏データと映像データの再生時間の差である差分時間を求め、
第３処理は、演奏データの再生時間が映像データの再生時間より小さい場合には第４処理により、演奏データの再生時間が映像データの再生時間より大きい場合には第５処理により、映像データを伸縮し、
第４処理は、映像データを差分時間だけ速く再生させ、
第５処理は、映像データを差分時間だけスチル処理して再生させる
請求項１または２に記載のカラオケ装置。
【請求項４】
第５処理は、映像データを差分時間で割った値をＮとしたとき、ｎＮ秒毎にｎ秒だけスチル処理して再生させる
請求項３に記載のカラオケ装置。
【発明の詳細な説明】
【０００１】
【産業上の利用分野】
本発明は、映像付きカラオケ装置及びその映像表示方法に関し、特に、選曲された歌詞と演奏音との雰囲気に合う映像をディスプレーするカラオケ装置及び映像ディスプレー方法に関する。
【０００２】
【従来の技術】
従来、映像付きカラオケ装置は、図１に示すように、歌唱者が選曲キー入力部（１）を介して選曲すれば、制御部（２）から、ＲＯＭ（３）内部にあらかじめ記憶された演奏音および歌詞データを出力させて歌詞再生部（４）および演奏音再生部（５）に転送し、ミキサー部（６）から歌詞再生部（４）の歌詞信号と映像再生部（７）の映像信号とを合成してモニタ（８）上にディスプレーした。
【０００３】
【発明が解決しょうとする課題】
また、ミキサー部（９）では演奏音再生部（５）の演奏音信号と歌唱者の音声信号とを合成してスピーカ（１０）を介して出力した。
【０００４】
この時、映像再生部（７）は、使用者が、映像データが記憶されたＬＤ（レーザディスク）やテープをＬＤＰ（レーザディスクプレーヤー）またはＶＣＲ（ビデオカセットレコーダ）に直接挿入することによって映像が再生されるので、使用者に煩わしさをあたえ、また、歌唱者が選択した歌の雰囲気と全く釣り合わない映像がディスプレーされる欠点があり、歌唱者の楽しみを低減した。
【０００５】
本発明は、前記短所を解消するためのもので、選曲された歌詞と演奏音との雰囲気に好適な映像を自動的に選択した後これをディスプレーするカラオケ装置及び映像ディスプレー方法を提供することを目的とする。
【０００６】
【課題を解決するための手段】
上記の目的を達成するために、本発明によれば、各雰囲気毎に各カテゴリー番号が記録されており、曲番号アドレスが記録された演奏音および歌詞データが記憶されたＲＯＭと、各雰囲気毎に各圧縮映像データが記憶されている複数の光学的記憶手段、例えばコンパクトディスク（ＣＤ）と、前記ＣＤを駆動するためのマルチ切換器と、選曲された歌の演奏音と歌詞データとに釣り合う雰囲気の映像データが再生されるように、前記ＲＯＭとマルチ切換器とを制御するマイコンと、を備えることを特徴とする装置を提供する。そして選曲された歌の雰囲気に釣り合う映像データが記録されたＣＤを選択し、再生可能の如何を検索する第１段階、選曲された歌の演奏時間と映像データ再生時間を検査する第２段階、選曲された歌の演奏時間に合致するように映像を再生し、再生された映像データの映像番号を記憶する第３段階、からなるディスプレー方法を特徴とする。
【０００７】
また、映像データが５種類の雰囲気別に区別されて雰囲気が異なるデータが順次繰り返えされて記録され各映像データの始点にＶＩＳＳ信号またはＶＡＳＳ信号が記録された映像付きカラオケ専用ＶＣＲテープと、各雰囲気毎に各カテゴリー番号が記録されており、曲番号アドレスが指定された演奏音および歌詞データが記憶されたＲＯＭと、前記ＲＯＭに記憶された選曲された歌の演奏音と歌詞データとを出力するようにＲＯＭを制御し、演奏音および歌詞データに釣り合う雰囲気の映像データが再生されるように、システムを制御するマイコンと、を備えることを特徴とする装置を提供する。そして映像付きカラオケ専用ＶＣＲテープを正方向に進行させながら、ＶＩＳＳ信号またはＶＡＳＳ信号を検出して選曲された歌の雰囲気に釣り合う映像データを選択する段階、映像付きカラオケ専用ＶＣＲテープを逆方向に進行させながら、ＶＩＳＳ信号またはＶＡＳＳ信号を検出して選曲された歌の雰囲気に釣り合う映像データを選択する段階、選曲された歌の演奏時間（ＰＴ）と映像データ再生時間とを検査する段階、選曲された歌の演奏時間に一致するように、映像を再生する段階、からなるディスプレー方法を特徴とする。
【０００８】
【実施例】
以下添付の図面に基づいて本発明を詳細に説明する。
【０００９】
図２は、本発明の映像付きカラオケ装置の一実施例を示した図であり、喜ばしい歌、悲しい歌、歌謡曲調の歌、ディスコ調の歌、童謡および漫画映画の歌のように雰囲気別に各カテゴリー番号が指定された演奏音と、歌詞データが記憶されたＲＯＭ（２１）と、雰囲気別に各々圧縮映像データが記録されて前記ＲＯＭ（２１）と同様に雰囲気別カテゴリー番号が指定された多数のＣＤ（２２ａ〜２２ｅ）と、選曲された歌の雰囲気に応じて前記ＣＤ（２２ａ〜２２ｅ）のいずれかを選択してこれを駆動するマルチ切換器（ｍｕｌｔｉ  ｃｈａｎｇｅｒ）（２２）と、前記選曲キー入力部（１）によって選曲された歌の演奏音と歌詞データとを出力するように前記ＲＯＭ（２１）を制御し前記ＲＯＭ（２１）から出力した演奏音と歌詞データとに釣り合う雰囲気のカテゴリー番号を検出した後、検出されたカテゴリー番号と一致されたカテゴリー番号を有するＣＤの映像データが再生されるように前記マルチ切換器（２２）を制御するマイコン（２３）と、前記ＣＤ（２２ａ〜２２ｅ）中の、前記マルチ切換器（２２）により駆動されたＣＤの映像データを復元して出力する圧縮映像データ再生部（２４）とを備えている。
【００１０】
ＲＯＭ（２１）は、図３に示すように、マイコン（２３）が、選曲された歌の雰囲気を検索することができるように、喜ばしい歌、悲しい歌、歌謡曲調の歌、ディスコ調の歌、童謡および漫画映画の歌のように、雰囲気別にカテゴリーを区別して各カテゴリー別に番号を指定している。すなわち、ＲＯＭ（２１）のデータは、喜ばしい歌のカテゴリー番号は１、悲しい歌のカテゴリー番号は２、歌謡曲調の歌のカテゴリー番号は３、ディスコ調の歌のカテゴリー番号は４、童謡および漫画映画の歌のカテゴリー番号は５としてカテゴリー番号を指定して記録された雰囲気選別アドレス部（２１ａ）と、各カテゴリーの歌の演奏音及び歌詞データの曲番号アドレスが記録された曲番号アドレス部（２１ｂ）と、曲の演奏音及び歌詞データが記録された演奏データ部（２１ｃ）とから構成される。ＣＤ（２２ａ〜２２ｅ）は、雰囲気選別アドレス部（２１ａ）に記録されたカテゴリー番号と同様に、喜ばしい歌に好適な映像データが記録されており喜ばしい歌のカテゴリー番号が指定されたＣＤ（２２ａ）、悲しい歌に釣り合う映像データが記録されており悲しい歌のカテゴリー番号が指定されたＣＤ（２２ｂ）、歌謡曲調の歌に釣り合う映像データが記録されており歌謡曲調の歌のカテゴリー番号が指定されたＣＤ（２２ｃ）、ディスコ調の歌に釣り合う映像データが記録されておりディスコ調の歌のカテゴリー番号が指定されたＣＤ（２２ｄ）、童謡および漫画映画の歌に釣り合う映像データが記録されており童謡および漫画映画の歌のカテゴリー番号が指定されたＣＤ（２２ｅ）、から構成され、ＣＤ（２２ａ〜２２ｅ）の各々には３分用の圧縮映像データが２２個すづ記録され、各映像データには映像番号１番から２２番まで指定されている。
【００１１】
上述のように構成された映像付きカラオケ装置の動作は次の通りである。
【００１２】
歌唱者が選曲キー入力部（１）を介して選曲すると、マイコン（２３）からＲＯＭ（２１）の曲番号アドレス部（２１ｂ）を検索して、選曲された歌の曲番号に対応する演奏音および歌詞データを演奏データ部（２１ｃ）から出力させる。
【００１３】
またマイコン（２３）は、ＲＯＭ（２１）の雰囲気選別アドレス部（２１ａ）を検索して選曲された歌の雰囲気別のカテゴリー番号を識別した後、ＣＤ（２２ａ〜２２ｅ）の雰囲気選別アドレス部（２１ａ）から検索した雰囲気別カテゴリー番号に対応するカテゴリー番号を有するＣＤを選択してマルチ切換器（２２）により選択されたＣＤが駆動されるようにする。
【００１４】
この時、ＣＤ（２２ａ〜２２ｅ）の各々には３分用の映像データが２２個すづ記録されており、各映像データには１番から２２番までの映像番号が指定されている。マイコン（２３）は選択されたＣＤの映像を再生した後、再生された映像の映像番号を記憶し、選択されたＣＤが次に選択された時に、記憶された映像番号の次の映像番号が指定されて映像データが再生されることができるようにマルチ切換器（２２）を制御する。
【００１５】
例えば、歌唱者が悲しい歌を選択すれば、マイコン（２３）はＲＯＭ（２１）の雰囲気選別アドレス部（２１ａ）を検索して悲しい歌のカテゴリー番号である２番を識別してＣＤ（２２ａ〜２２ｅ）中の、悲しい歌のカテゴリー番号に対応するように指定されているＣＤ（２２ｂ）を選択する。このＣＤ（２２ｂ）は、例えば、前の回に映像番号１８番が選択されて再生されていたとすれば、今回は映像番号１９番の映像データを再生することとなる。
【００１６】
マイコン（２３）により雰囲気別のカテゴリー番号と映像番号とが選択されたＣＤの映像データは、３６倍で圧縮されて記録されているので、圧縮映像データ再生部（２４）により元の信号に復元させて前記ミキサー部（６）に出力する。
【００１７】
またマイコン（２３）の制御により出力された、選曲された歌の演奏音及び歌詞データは各々演奏音再生部（５）と歌詞再生部（４）とに転送されて、歌詞再生部（４）からの歌詞信号は前記ミキサー部（６）に転送されて圧縮映像データ再生部（２４）の出力と合成されてモニタ（８）に出力され、演奏音再生部（５）の出力は前記ミキサー部（９）で歌唱者の音声信号と合成されてスピーカ（１０）から出力される。
【００１８】
図４は本発明の映像付きカラオケ装置に関する他の実施例を示すブロック構成図であり、図５は図４に適用される映像付きカラオケ専用ＶＣＲテープの図である。
【００１９】
本発明の他の実施例は、図２のように、同一の雰囲気の映像データのみを記録したＣＤを複数個備え、それらをＣＤ単位で異なる雰囲気別に区別して雰囲気別のカテゴリー番号が与えられている複数のＣＤ（２２ａ〜２２ｅ）中から映像データを再生するのではない。本発明の他の実施例は、１個の映像付きカラオケ専用ＶＣＲテープにそれぞれ異なる雰囲気の映像データを順次記録して、選曲された歌の雰囲気に適合する映像をディスプレーするためのもので、喜ばしい歌、悲しい歌、歌謡曲調の歌、ディスコ調の歌、童謡および漫画映画の歌に適合する映像データが順次繰り返えして記録され、それぞれ映像データの始点にＶＩＳＳ信号またはＶＡＳＳ信号が記録された映像付きカラオケ専用ＶＣＲテープ（３０）と、喜ばしい歌、悲しい歌、歌謡曲調の歌、ディスコ調の歌、童謡および漫画映画の歌のように、雰囲気別に各カテゴリー番号が指定された演奏音および歌詞データが記憶されたＲＯＭ（２５）と、前記選曲キー入力部（１）により選曲された歌の演奏音及び歌詞データを出力するように前記ＲＯＭ（２５）を制御し前記ＲＯＭ（２５）から出力した演奏音及び歌詞データに適合する雰囲気のカテゴリー番号を検出した後前記映像再生部（７）を制御して前記テープ（３０）に記録された映像データ中の選曲された歌の雰囲気に適合する映像データを再生できるように前記映像再生部（７）を制御するマイコン（２６）と、を備える。
【００２０】
この例においても、ＲＯＭ（２５）は図３に示したＲＯＭ（２１）の構成と同様に、雰囲気選別アドレス部（２５ａ）、曲番号アドレス部（２５ｂ）および演奏音データ部（２５ｃ）からなる。映像付きカラオケ専用ＶＣＲテープ（３０）について図５に基づいてさらに詳細に説明する。
【００２１】
映像付きカラオケ専用ＶＣＲテープ（２４）には喜ばしい歌、悲しい歌、歌謡曲調の歌、ディスコ調の歌、童謡および漫画映画の歌に釣り合う映像データが順次記録され、さらに喜ばしい歌ないし童謡および漫画映画の歌に釣り合う映像データが繰り返えして記録される方式で、３分または５分程度の任意の映像データの再生時間を有する雰囲気別映像データが記録される。
【００２２】
また映像付きカラオケ専用ＶＣＲテープ（３０）に記録された各映像データの始点が分るように各映像データの始点にＶＩＳＳ（Ｖｉｄｅｏ  Ｉｎｄｅｘ  Ｓｅａｒｃｈ  Ｓｙｓｔｅｍ）信号を記録するか、または映像データを雰囲気別にカテゴリーを指定する方式、すなわち喜ばしい歌に合う映像データはカテゴリー番号１、悲しい歌に合う映像データはカテゴリー番号２、歌謡曲調の歌に合う映像データはカテゴリー番号３、ディスコ調の歌に合う映像データはカテゴリー番号４、童謡および漫画映画の歌に合う映像データはカテゴリー番号５を指定したＶＡＳＳ（Ｖｉｄｅｏ  Ａｄｄｒｅｓｓ  Ｓｅａｒｃｈ  Ｓｙｓｔｅｍ）信号を各映像データの始点に記録して、マイコン（２６）により雰囲気別の映像データの始点を検出することができるようにする。
【００２３】
このように構成された映像付きカラオケ装置の他の実施例についての動作を説明する。
【００２４】
歌唱者が前記選曲キー入力部（１）を介して選曲すると、マイコン（２６）はＲＯＭ（２５）内部の曲番号アドレス部（２５ｂ）を検索して選曲された歌の曲番号に一致する演奏音及び歌詞データを演奏データ部（２５ｃ）から出力させて、演奏音データは演奏音再生部（５）へ、歌詞データは歌詞再生部（４）へそれぞれ転送させ、雰囲気選別アドレス部（２５ａ）を検索して選曲された歌の雰囲気別カテゴリー番号を認識した後映像付きカラオケ専用ＶＣＲテープ（３０）上に記録された映像データ中の選曲された歌の雰囲気に合う映像データを検出し、映像データ再生部（７）により映像データが再生されることができるようにする。
【００２５】
この時、映像付きカラオケ専用ＶＣＲテープ（３０）上に記録された映像データは始点毎にＶＩＳＳ信号が載せられていたとすれば、マイコン（２６）は、映像付きカラオケ専用ＶＣＲテープ（３０）に記録されたＶＩＳＳ信号をカウントして、マイコン（２６）により認識された選曲されたカテゴリー番号が、映像付きカラオケ専用ＶＣＲテープ（３０）に記録されたＶＩＳＳ信号をカウントした値に一致すれば、選曲された歌の雰囲気に適合する映像データが選択されたということを認識して映像データを再生させる。
【００２６】
しかし映像付きカラオケ専用ＶＣＲテープ（３０）に記録された映像データの始点にＲＯＭ（２５）の雰囲気選別アドレス部（２５ａ）のように雰囲気別にカテゴリー番号が指定されたＶＡＳＳ信号が記録されていたとすれば、マイコン（２６）により認識された選曲された歌のカテゴリー番号に一致するＶＡＳＳ信号を検出して、記録された映像データを再生させる。
【００２７】
映像データ再生部（７）は、映像付きカラオケ専用ＶＣＲテープ（３０）の映像データを復元してミキサー部（６）に転送し、ミキサー部（６）で歌詞再生信号と映像データ信号とを合成してモニター（８）上にディスプレーさせる。
【００２８】
図６は本発明の図２の構成による映像ディスプレー方法を示した一実施例である。
【００２９】
歌唱者が選曲キー入力部（１）を介して選曲すると（ステップ１０１）、マイコン（２３）からＲＯＭ（２１）の内部の雰囲気選別アドレス部（２１ａ）を検索して、選曲された歌の雰囲気カテゴリー番号を認識した後、ＣＤ（２２ａ〜２２ｅ）中から、雰囲気選別アドレス部（２１ａ）から検出したカテゴリー番号に一致するカテゴリー番号を有すＣＤを選択し（ステップ１０２）、選択されたＣＤの前回再生された映像データがわかるようにマイコン（２３）の内部のＲＡＭに記憶されている、選択されたＣＤの前の実行で再生された映像データの映像歌番号を検出する（ステップ１０３）。
【００３０】
この時、ＣＤ（２２ａ〜２２ｅ）の各々には３分の映像再生時間を有する映像データが２２個すづ記録されており、各々の映像データ毎に映像番号が指定されているので、ステップ１０３から検出した映像番号に１を加える（ステップ１０４）。映像番号＋１が２２より大きければ（ステップ１０５）、選択されたＣＤに記録された映像データが、映像番号２２番まで全部再生されて実行されたことを認識し、マイコン（２３）の内部のＲＡＭに記憶されている選択されたＣＤの最後に再生された映像データの映像番号、すなわち２２番を、初期の映像番号にリセットさせた後（ステップ１０６）、映像番号１番からさらに映像再生のための準備作業に進行し、前記ステップ１０３から検出した映像番号に１を加える値が２２より小さいか同じであれば（ステップ１０５）、選曲された歌の演奏時間（ＰＴ）を検出する（ステップ１０７）。
【００３１】
ＣＤ（２２ａ〜２２ｅ）の各々に記録された２２個の映像データは、映像再生時間が各々３分に記録されているので演奏時間（ＰＴ）と映像再生時間（１８０秒）との差（Ｔ＝ＰＴ−１８０）を求め（ステップ１０８）、選曲された歌の演奏時間（ＰＴ）が映像再生時間より小さいか同じであれば（ステップ１０９，ステップ１１０）、マイコン（２３）内部に記憶された映像番号の次の映像番号（映像番号＋１）が指定された映像データ、即ち、今回再生する映像に対するデータを正常速度で再生し（ステップ１１１）、選曲された歌の演奏時間（ＰＴ）が映像再生時間（１８０秒）より大きければ映像データの再生を演奏時間（ＰＴ）と映像データ再生時間（１８０秒）との差（Ｔ）だけ遅く延長して映像データを再生する（ステップ１１２）。
【００３２】
ステップ１１３で、選曲された歌の演奏時間（ＰＴ）をカウントして、カウント時間が演奏時間（ＰＴ）に一致すれば（ステップ１１４）演奏が終了したことと認識し、演奏および映像データの再生を終了し（ステップ１１５）、再生された映像データの映像番号をマイコン（２３）内部のＲＡＭに記憶させる（ステップ１１６）。
【００３３】
図７は本発明の図２の構成による映像ディスプレー方法に関する他の実施例である。
【００３４】
前記ステップ１０９から選曲された歌の演奏時間（ＰＴ）が、映像再生時間（１８０秒）より小さければ映像データを演奏時間（ＰＴ）と映像データ再生時間（１８０秒）との差（Ｔ）だけ速く映像を再生し（ステップ２０１）、演奏時間（ＰＴ）をカウントする（ステップ２０２）。演奏時間（ＰＴ）と映像データ再生時間（１８０秒）とが同じであれば（ステップ１１０）、正常速度で映像データを再生し（ステップ２０３）、演奏時間（ＰＴ）をカウントする（ステップ２０５）。選曲された歌の演奏時間（ＰＴ）が、映像データ映像再生時間（１８０秒）より大きければ（ステップ１１０）、映像データを正常速度で再生し（ステップ２０４）、演奏時間（ＰＴ）をカウントする（ステップ２０５）。
【００３５】
前記ステップ２０５の後演奏時間（ＰＴ）のカウントの途中、映像再生時間が３分になってそれ以上映像再生が不能の状態になると（ステップ２０６）、映像データの最後の１フレームの映像をトラッピング（ｔｒａｐｐｉｎｇ）して演奏時間（ＰＴ）と映像再生時間との差、すなわち残りの演奏時間だけ映像をスチル（ｓｔｉｌｌ）処理する（ステップ２０７）。
【００３６】
ステップ２０２、またはステップ２０７の後、図６と同様に、選曲された歌の演奏時間が全て経過すれば（ステップ１１４）、演奏および再生を終了する（ステップ１１５）。
【００３７】
図８は本発明の図２の構成による映像ディスプレー方法についてのさらに他の実施例で、前記ステップ１１０から選曲された歌の演奏時間（ＰＴ）が、映像再生時間より大きい場合、少ない映像再生時間をスチル処理する方法を示したものである。
【００３８】
選曲された歌の演奏時間（ＰＴ）が映像再生時間より大きければ（ステップ１１０）、映像再生時間（１８０秒）を演奏時間（ＰＴ）と映像再生時間（１８０秒）との差（Ｔ）で分った後（１８０÷Ｔ＝Ｎ）（ステップ３０１）、映像データを再生し（ステップ３０２）、選曲された歌の演奏時間（ＰＴ）をカウントして（ステップ３０３）、カウント時間がＮ秒になる時毎に１秒すづ映像をスチル処理するか、または２Ｎ秒になる時毎に２秒すづ映像をスチル処理する方法で、ｎＮ秒（ｎ：自然数）になる時毎にｎ秒すづ映像をスチル処理する（ステップ３０４，３０５）。
【００３９】
前記過程後、図６のように選曲された歌の演奏時間（ＰＴ）が全部経過すれば（ステップ１１４）演奏および映像再生を終了する（ステップ１１５）。
【００４０】
図９及び図１０は本発明の映像付きカラオケ専用ＶＣＲテープ（３０）にＶＩＳＳ信号を記録して用いる場合の映像ディスプレー方法の一実施例を示した図である。
【００４１】
まず、初期状態から、映像付きカラオケ専用ＶＣＲテープ（３０）を最初の状態に戻し（ステップ４０１）、雰囲気検索カウント値を０にリセットさせた状態で（ステップ４０２）、歌唱者が選曲キー入力部（１）を介して選曲すれば（ステップ４０３）、マイコン（２６）からＲＯＭ（２５）内部の雰囲気選別アドレス部（２５ａ）を検索して選曲された歌の雰囲気カテゴリー番号を認識した後（ステップ４０４）、現在状態が正方向状態であるかを検査する（ステップ４０５）。
【００４２】
現在状態が正方向状態（順方向にテープを送る状態）であると、正常速度（通常の再生時の送り速度）の２００倍速でＦ．Ｆ．（Ｆａｓｔ  Ｆｏｒｗａｒｄ）、即ち順方向への速い送り、を実行しながら（ステップ４０６）、映像付きカラオケ専用ＶＣＲテープ（３０）にＶＩＳＳ信号が記録されているかを検査して（ステップ４０７）ＶＩＳＳ信号が検出されると雰囲気検索カウント値を１増加させ（ステップ４０８）、１増加されたカウント値が６であるかを検査し（ステップ４０９）、１増加されたカウント値が６であれば、雰囲気検索カウント値を１に更新し（ステップ４１０）、前記ステップ４０４から検出した選曲された歌の雰囲気カテゴリー番号に一致するかを比較する（ステップ４１１）。１増加されたカウント値が６でなければ直接にステップ４１１を実行する。
【００４３】
１増加させた雰囲気検索カウント値が６である場合、これを１に更新する理由は次の通りである。即ち、映像付きカラオケ専用ＶＣＲテープ（３０）に記録された映像データは５種類の雰囲気で分類されており、雰囲気の異なる５種類の映像データが順次記録され、さらに繰り返して雰囲気の異なる５種類の映像データが記録されている。それぞれ映像データの始点にはＶＩＳＳ信号を記録しているが、これは映像付きカラオケ専用ＶＣＲテープ（３０）に記録された映像データの各々の始点のみを認識可能とするだけであり雰囲気は認識しないので、先に記録された５種類の雰囲気の映像データとその次に記録された５種類の雰囲気の映像データを区別することができない。ＶＩＳＳ信号が検出される時毎に雰囲気検索カウントを１すづ増加させることにより、雰囲気検索カウント値が６になると次の記録された５種類の映像データの始点であることを認識することができるようにするために雰囲気検索カウント値を１に更新させるのである。
【００４４】
したがって、雰囲気の異なる５種類の映像データが雰囲気別に１から５までのカウント値が指定され、ＲＯＭ（２５）に指定された雰囲気別カテゴリー番号と映像付きカラオケ専用ＶＣＲテープ（３０）に記録された雰囲気別映像データとのカウント値を比較することができるようになる。
【００４５】
前記ステップ４１１で、カウント値が、選出された歌の雰囲気カテゴリー番号と異なると、ステップ４０７から再び実行して雰囲気検索カウント値を１すづ増加させながら選出された歌の雰囲気に適合する映像データを選択し、映像データが選択されると選曲された歌の演奏時間（ＰＴ）を検出して（ステップ４１２）演奏時間と映像再生時間との差（Ｔ）を求める（ステップ４１３）。
【００４６】
選曲された歌の演奏時間（ＰＴ）が映像再生時間より小さいか同じであれば（ステップ４１４，４１５）、前記ステップ４１１で選択された映像データを正常速度で再生し（ステップ４１６）、選曲された歌の演奏時間（ＰＴ）が映像再生時間より大きければ（ステップ４１７）、映像データの再生を前記演奏時間（ＰＴ）と映像データ再生時間との差（Ｔ）だけ遅く延長して映像データを再生する（ステップ４１７）。
【００４７】
そして選曲された歌の演奏時間（ＰＴ）をカウントして（ステップ４１８）演奏カウント時間が演奏時間に一致すると（ステップ４１９）、演奏終了と認識し、演奏および映像データの再生を終了し（ステップ４２０）、ステップ４０３に戻る。
【００４８】
歌唱者が選曲キー入力部（１）を介して選曲する時毎にステップ４０３からステップ４２０までを実行して映像付きカラオケ専用ＶＣＲテープ（３０）を正方向に進行させ、選曲された歌の雰囲気に適合した映像データをディスプレーする。このときステップ４０７からＶＩＳＳ信号が検出されないと、映像付きカラオケ専用ＶＣＲテープ（３０）が正方向に終了部分まで戻った状態であるかを検査して（ステップ４２１）、終了部分までいった状態であれば、雰囲気検索カウント値を６にセットさせた後（ステップ４２２）、映像付きカラオケ専用ＶＣＲテープ（３０）を逆方向に正常速度の２００倍速で戻し（ステップ４２３）、映像付きカラオケ専用ＶＣＲテープ（３０）上にＶＩＳＳ信号があるかを検出して（ステップ４２４）、検出されるとステップ４２２からセットした雰囲気検索カウント値を１減少さる（ステップ４２５）。１減少された雰囲気検索カウント値が０であるかを検査して（ステップ４２６）、０であれば雰囲気検索カウント値を５に更新し（ステップ４２７）、５に更新された雰囲気検索カウント値がステップ４０４から認識した選曲された歌の雰囲気カテゴリー番号に一致するかを比較する（ステップ４２８）。０でなければ直接ステップ４２８を実行する。
【００４９】
ステップ４２８で、雰囲気検索カウント値が雰囲気カテゴリー番号に一致しないと、ステップ４２４に戻ってさらに実行し、一致すればステップ４１２からステップ４２０までを順次実行する。そして歌唱者が選曲キー入力部（１）を介して選曲すればステップ４０５から現在状態が正方向の進行状態ではないことを認識し、ステップ４２３からステップを実行しながら、歌唱者が選曲キー入力部（１）を介して選曲する時毎に、映像付きカラオケ専用ＶＣＲテープ（３０）を逆方向に進行させながら、選曲された歌の雰囲気に適合する映像データをディスプレーする。
【００５０】
前記過程を実行する途中、ステップ４２８で映像付きカラオケ専用ＶＣＲテープ（３０）にＶＩＳＳ信号が検出されないと、映像付きカラオケ専用ＶＣＲテープ（３０）が逆方向に終端まで巻取られたかを検査して（ステップ４２９）、終端まで巻取られたことを検出すると前記ステップ４０６に戻ってステップを実行する。
【００５１】
図１１は前記図９及び図１０中、選曲された歌の演奏時間（ＰＴ）と映像データ再生時間とが不一致の時、これを処理するための他の実施例を示す。
【００５２】
ステップ４１４で、選曲された歌の演奏時間（ＰＴ）が映像データ再生時間より小さければ、選択された映像データを、演奏時間（ＰＴ）と映像データ再生時間との差（Ｔ）だけ速く映像を再生し（ステップ５０１）、演奏時間（ＰＴ）をカウントする（ステップ５０２）。演奏時間と映像データ再生時間とが同一であれば（ステップ４１５）映像データを正常速度で再生し（ステップ５０３）演奏時間をカウントする（ステップ５０２）。選曲された歌の演奏時間（ＰＴ）が映像再生時間より大きければ（ステップ４１５）映像データを正常速度で再生し（ステップ５０４）、演奏時間をカウントする（ステップ５０５）。
【００５３】
ステップ５０５後、演奏時間カウント途中、演奏の未終了状態で、映像再生が終了しまうと（ステップ５０６）映像データの最終１フレームをトラッピングして演奏時間（ＰＴ）と映像再生時間との差、すなわち残りの演奏時間の間映像をスチル処理する（スチル５０７）。
【００５４】
ステップ５０２またはステップ５０７の後、前記図９及び図１０と同様に、選曲された歌の演奏が終了すれば（ステップ４１９）、演奏および映像再生を中断する（ステップ４２０）。
【００５５】
図１２は図９及び図１０中の選曲された歌の演奏時間（ＰＴ）が、映像データ再生時間より大きい場合、不足分の映像データの再生をスチル処理するための他の実施例を示したものである。選曲された歌の演奏時間（ＰＴ）が映像再生時間より大きければ（ステップ４１５）映像再生時間を演奏時間と映像再生時間との差（Ｔ）で分った後（Ｎ）（ステップ６０１）、選択された映像データを正常速度で再生しながら（ステップ６０２）選曲された歌の演奏時間（ＰＴ）をカウントして（ステップ６０３）、カウント時間がＮ秒になる時毎に１秒すづ映像をスチル処理するか、または２Ｎ秒になる時毎に２秒すづ映像をスチル処理する等の方法で、ｎＮ秒（ｎ：自然数）になる時毎に（ステップ６０４）ｎ秒すづ映像をスチル処理する（ステップ６０５）。
【００５６】
前記過程の後、図９及び図１０のように、選曲された歌の演奏時間（ＰＴ）が全部経過すれば（ステップ４１９）演奏音および映像再生を中断する（ステップ４２０）。
【００５７】
図１３は本発明の映像付きカラオケ専用ＶＣＲテープ上にＶＡＳＳ信号を記録した際の映像ディスプレー方法についての実施例である。
【００５８】
まず、初期状態から映像付きカラオケ専用ＶＣＲテープを最初の状態に戻した状態で（ステップ７０１）、歌唱者が選曲キー入力部（１）を介して選曲すると（ステップ７０２）、マイコン（２３）からＲＯＭ（２１）内部の雰囲気選別アドレス部（２１ａ）を検索し、選曲された歌の雰囲気カテゴリー番号を認識した後（ステップ７０３）、現在状態が正方向の実行状態であるかを判断する（ステップ７０４）。現在状態が正方向の実行状態であると、テープを正常速度の２００倍速でＦ．Ｆ．を実行しながら（ステップ７０５）、テープ上にＶＡＳＳ信号があるかを検出し（ステップ７０６）、ＶＡＳＳ信号が検出されると、ステップ７０３で認識した選曲された歌の雰囲気カテゴリー番号とＶＡＳＳ信号のカテゴリー番号とを比較する（ステップ７０７）。それらが異なると、ステップ７０６に戻ってステップを実行し、同一であれば、前記図９及び図１０または図１１または図１２のステップ４１２から実行し、演奏および映像データの再生を中断した後（ステップ４２０）、ステップ７０２に復帰する。
【００５９】
歌唱者が選曲キー入力部（１）を介して選曲する時毎に、前記過程を実行しながら、映像付きカラオケ専用ＶＣＲテープを正方向に走行させ、選曲された歌の雰囲気に適合する映像データをディスプレーする。このとき、ステップ７０６からテープ上にＶＡＳＳ信号が検出されなければ、映像付きカラオケ専用ＶＣＲテープが正方向に終端まで巻取られたかを検査して（ステップ７０８）、終端まで巻取られた状態であれば映像付きカラオケ専用ＶＣＲテープを逆方向に正常速度の２００倍速で巻き戻しながら（ステップ７０９）、テープ上にＶＡＳＳ信号があるかを検査し（ステップ７１０）、ＶＡＳＳ信号が検出されるとステップ７０３で認識した選曲された歌の雰囲気カテゴリー番号とＶＡＳＳ信号のカテゴリー番号とを比較する（ステップ７１１）。それらが異なると、ステップ７１０に復帰し、同一であれば図９及び図１０または図１１または図１２のステップ４１２から実行し、演奏および映像データの再生を中断した後（ステップ４２０）、現在状態が正方向の実行状態であるかを検査することとなる（ステップ７０４）。ここでは現在状態は逆方向の実行状態であるので、ステップ７０９からさらに実行される。
【００６０】
ステップ７１０でＶＡＳＳ信号が検出されなければ、映像付きカラオケ専用ＶＣＲテープが逆方向に全部巻取られたかをチェックして（ステップ７１２）、全部巻取られたとすればステップ７０５に戻る。
【００６１】
そして、本発明の、映像付きカラオケ専用ＶＣＲテープ上にＶＡＳＳ信号を記録する際の映像ディスプレー方法についての一実施例としては、ステップ７０７またはステップ７１１の後、図１０のステップ４１２からステップ４２０までを実行する。さらに他の実施例としては、選曲された歌の演奏時間（ＰＴ）と映像データ再生時間との差によりステップ４１４，４１５、ステップ５０１からステップ５１７を実行した後、選曲された歌の演奏が終了すれば、演奏および映像データ再生を中断する（ステップ４２０）。本発明の、映像付きカラオケ専用ＶＣＲテープ上にＶＡＳＳ信号を記録する際の映像ディスプレー方法についてのさらに他の一実施例としては、選曲された歌の演奏時間（ＰＴ）が映像データ再生時間より大きい時、不足分の映像データをスチル処理するためにステップ７０７またはステップ７１１の後、図１２のステップ４１２からステップ４２０までを実行する途中、選曲された歌の演奏時間（ＰＴ）が映像データ再生時間より大きければ（ステップ４１５）、ステップ６０１からステップ６０４までを実行した後、選曲された歌の演奏が終了すると、演奏および映像データ再生を中断する（ステップ４２０）。
【００６２】
【発明の効果】
以上説明したように、本発明によれば、選曲された歌の歌詞および演奏音の雰囲気に釣り合う映像を複数の映像中から自動的に再生してディスプレーすることができる効果が得られる。
【図面の簡単な説明】
【図１】従来の映像付きカラオケ装置を示すブロック図である。
【図２】本発明の映像付きカラオケ装置の一実施例を示すブロック図である。
【図３】図２の装置に適用されるＲＯＭのデータを示すブロック図である。
【図４】本発明の映像付きカラオケ装置の他の実施例を示すブロック図である。
【図５】図４の装置に適用される映像付きカラオケ専用のＶＣＲテープを示す図である。
【図６】本発明の、ＣＤが適用される場合の映像ディスプレー方法の一実施例を示す図である。
【図７】本発明の、ＣＤが適用される場合の映像ディスプレー方法の他の実施例を示す図である。
【図８】本発明の、ＣＤが適用される場合の映像ディスプレー方法の他の実施例を示す図である。
【図９】本発明の、映像付きカラオケ専用のＶＣＲテープにＶＩＳＳ信号を記録する場合の映像ディスプレー方法の一実施例を示す図である。
【図１０】図９の図に続く、映像ディスプレー方法の一実施例を示す図である。
【図１１】本発明の、映像付きカラオケ専用のＶＣＲテープにＶＩＳＳ信号を記録する場合の映像ディスプレー方法の他の実施例を示す図である。
【図１２】本発明の、映像付きカラオケ専用のＶＣＲテープにＶＩＳＳ信号を記録する場合の映像ディスプレー方法の他の実施例を示す図である。
【図１３】本発明の、映像付きカラオケ専用のＶＣＲテープにＶＡＳＳ信号を記録する場合の映像ディスプレー方法の一実施例を示す図である。
【符号の説明】
１  選曲キー入力部
２  制御部
３，２１，２５  ＲＯＭ
４  歌詞再生部
５  演奏音再生部
６，９  ミキサー部
７  映像データ再生部
８  モニタ
１０  スピーカ
２２  マルチ切換器
２３，２６  マイコン
２１ａ  雰囲気選別アドレス部
２１ｂ  曲番号アドレス部
２１ｃ  演奏データ部
２２ａ〜２２ｅ  ＣＤ
３０  映像付きカラオケ専用のＶＣＲテープ
【図１】
0003621715.tif 000002
【図２】
0003621715.tif 000003
【図３】
0003621715.tif 000004
【図４】
0003621715.tif 000005
【図５】
0003621715.tif 000006
【図６】
0003621715.tif 000007
【図７】
0003621715.tif 000008
【図８】
0003621715.tif 000009
【図９】
0003621715.tif 000010
【図１０】
0003621715.tif 000011
【図１１】
0003621715.tif 000012
【図１２】
0003621715.tif 000013
【図１３】
0003621715.tif 000014